【手続補正書】
【提出日】平成25年1月15日(2013.1.15)
【手続補正１】
【補正対象書類名】明細書
【補正対象項目名】００３０
【補正方法】変更
【補正の内容】
【００３０】
【表１】
2012515856.tif 000001
次に、本発明の好ましい態様を示す。
１．  ａ）コア糸、および前記コア糸のまわりにらせん状に捲回された少なくとも１本の第１のラッピング糸を有する耐切断性複合糸であって、
前記コア糸は少なくとも１本の５０〜２００デニール（５６〜２２０ｄｔｅｘ）のガラス繊維フィラメント糸を含み、前記第１のラッピング糸は１本の１００〜６００デニール（１１０〜６８０ｄｔｅｘ）のパラアラミド糸である、耐切断性複合糸と；
ｂ）脂肪族ポリアミド、ポリエステルおよびそれらの混合物からなる群から選択された随伴糸と；
ｃ）１００〜５００デニール（１１０〜５６０ｄｔｅｘ）の複合糸を含むライニング糸であって、前記複合糸が少なくとも１本のエラストマ糸を含むエラストマ糸コアと、前記糸コアのまわりにらせん状に捲回された少なくとも１本の第２のラッピング糸とを有するライニング糸であって、
前記第２のラッピング糸は、脂肪族ポリアミド、ポリエステル、天然繊維、セルロース系繊維およびそれらの混合物からなる群から選択された、少なくとも１本の２０〜３００デニール（２２〜３４０ｄｔｅｘ）の糸を含んでいる、ライニング糸と；
を含む耐切断性編成手袋であって、
前記耐切断性複合糸、前記随伴糸および前記ライニング糸は、前記ライニング糸が前記手袋の内側に添え糸編みされ、前記耐切断性複合糸と随伴糸が前記手袋の外側を形成している状態で、前記手袋の形に共編成されている、耐切断性編成手袋。
２．  前記パラアラミド糸がステープル繊維または連続フィラメントを含む、上記１に記載の耐切断性編成手袋。
３．  前記パラアラミドがポリ（パラフェニレンテレフタルアミド）である上記１に記載の耐切断性編成手袋。
４．  前記エラストマ糸がスパンデックス糸である、上記１に記載の耐切断性編成手袋。
５．  前記エラストマ糸が、最高１００デニール（１１０ｄｔｅｘ）の線密度を有する、上記１に記載の耐切断性編成手袋。
６．  ファブリック１平方ヤード１オンスあたり１００グラム重以上（ファブリック１平方メートル１グラムあたり３３９０グラム重以上）という耐切断性指数をさらに有する、上記１に記載の耐切断性編成手袋。
７．  １平方ヤードあたり７〜１４オンス（１平方メートルあたり２４０〜４７５グラム）の編成ファブリック坪量を有する、上記６に記載の耐切断性編成手袋。
８．  ニトリル、ラテックス、ポリウレタン、ネオプレン、ゴムおよびそれらの混合物からなる群から選択された外部合成ポリマーコーティングをさらに含む、上記１に記載の耐切断性編成手袋。
９．  ａ）コア糸、および前記コア糸のまわりにらせん状に捲回された少なくとも１本の第１のラッピング糸を有する耐切断性複合糸であって、
前記コア糸は少なくとも１本の５０〜２００デニール（５６〜２２０ｄｔｅｘ）のガラス繊維フィラメント糸を含み、前記第１のラッピング糸は１本の１００〜６００デニール（１１０〜６８０ｄｔｅｘ）のポリ（パラフェニレンテレフタルアミド）糸である、耐切断性複合糸と；
ｂ）脂肪族ポリアミド、ポリエステルおよびそれらの混合物からなる群から選択された随伴糸と； 
ｃ）１００〜５００デニール（１１０〜５６０ｄｔｅｘ）の複合糸を含むライニング糸であって、前記複合糸が少なくとも１本のスパンデックス糸を含むスパンデックス糸コア（前記糸コアは最高７５デニール（８４ｄｔｅｘ）の綿密度を有する）と、脂肪族ポリアミド、ポリエステル、天然繊維、セルロース系繊維およびそれらの混合物からなる群から選択された少なくとも１本の第２の２０〜３００デニール（２２〜３４０ｄｔｅｘ）のラッピング糸（前記少なくとも１本の第２のラッピング糸は前記糸コアのまわりにらせん状に捲回されている）とを有する、ライニング糸と；
を含む耐切断性編成手袋であって、
前記耐切断性複合糸、前記随伴糸および前記ライニング糸は、前記ライニング糸が前記手袋の内側に添え糸編みされ、前記耐切断性複合糸と随伴糸が前記手袋の外側を形成している状態で、前記手袋の形に共編成されている、耐切断性編成手袋。
１０．  ファブリック１平方ヤード１オンスあたり１００グラム重以上（ファブリック１平方メートル１グラムあたり３グラム重以上）という耐切断性指数をさらに有する、上記９に記載の耐切断性編成手袋。
１１．  １平方ヤードあたり７〜１４オンス（１平方メートルあたり２４０〜４７５グラム）の編成ファブリック坪量を有する、上記１０に記載の耐切断性編成手袋。
１２．  ニトリル、ラテックス、ポリウレタン、ネオプレン、ゴムおよびそれらの混合物からなる群から選択された外部合成ポリマーコーティングをさらに含む、上記１１に記載の耐切断性編成手袋。
【手続補正２】
【補正対象書類名】特許請求の範囲
【補正対象項目名】全文
【補正方法】変更
【補正の内容】
【特許請求の範囲】
【請求項１】
ａ）コア糸、および前記コア糸のまわりにらせん状に捲回された少なくとも１本の第１のラッピング糸を有する耐切断性複合糸であって、
前記コア糸は少なくとも１本の５０〜２００デニール（５６〜２２０ｄｔｅｘ）のガラス繊維フィラメント糸を含み、前記第１のラッピング糸は１本の１００〜６００デニール（１１０〜６８０ｄｔｅｘ）のパラアラミド糸である、耐切断性複合糸と；
ｂ）脂肪族ポリアミド、ポリエステルおよびそれらの混合物からなる群から選択された随伴糸と；
ｃ）１００〜５００デニール（１１０〜５６０ｄｔｅｘ）の複合糸を含むライニング糸であって、前記複合糸が少なくとも１本のエラストマ糸を含むエラストマ糸コアと、前記糸コアのまわりにらせん状に捲回された少なくとも１本の第２のラッピング糸とを有するライニング糸であって、
前記第２のラッピング糸は、脂肪族ポリアミド、ポリエステル、天然繊維、セルロース系繊維およびそれらの混合物からなる群から選択された、少なくとも１本の２０〜３００デニール（２２〜３４０ｄｔｅｘ）の糸を含んでいる、ライニング糸と；
を含む耐切断性編成手袋であって、
前記耐切断性複合糸、前記随伴糸および前記ライニング糸は、前記ライニング糸が前記手袋の内側に添え糸編みされ、前記耐切断性複合糸と随伴糸が前記手袋の外側を形成している状態で、前記手袋の形に共編成されている、耐切断性編成手袋。
【請求項２】
ａ）コア糸、および前記コア糸のまわりにらせん状に捲回された少なくとも１本の第１のラッピング糸を有する耐切断性複合糸であって、
前記コア糸は少なくとも１本の５０〜２００デニール（５６〜２２０ｄｔｅｘ）のガラス繊維フィラメント糸を含み、前記第１のラッピング糸は１本の１００〜６００デニール（１１０〜６８０ｄｔｅｘ）のポリ（パラフェニレンテレフタルアミド）糸である、耐切断性複合糸と；
ｂ）脂肪族ポリアミド、ポリエステルおよびそれらの混合物からなる群から選択された随伴糸と； 
ｃ）１００〜５００デニール（１１０〜５６０ｄｔｅｘ）の複合糸を含むライニング糸であって、前記複合糸が少なくとも１本のスパンデックス糸を含むスパンデックス糸コア（前記糸コアは最高７５デニール（８４ｄｔｅｘ）の線密度を有する）と、脂肪族ポリアミド、ポリエステル、天然繊維、セルロース系繊維およびそれらの混合物からなる群から選択された少なくとも１本の第２の２０〜３００デニール（２２〜３４０ｄｔｅｘ）のラッピング糸（前記少なくとも１本の第２のラッピング糸は前記糸コアのまわりにらせん状に捲回されている）とを有する、ライニング糸と；
を含む耐切断性編成手袋であって、
前記耐切断性複合糸、前記随伴糸および前記ライニング糸は、前記ライニング糸が前記手袋の内側に添え糸編みされ、前記耐切断性複合糸と随伴糸が前記手袋の外側を形成している状態で、前記手袋の形に共編成されている、耐切断性編成手袋。